(57)【特許請求の範囲】
【請求項１】
スライドの４隅部に加圧シリンダーをそのシリンダーの全体部をスライドに一体的としてそれぞれ配設するとともに、この加圧シリンダーのピストンから上下方向にピストンロッドを上コラムと下コラムとしてそれぞれ突出して上コラムと下コラムのスライドの摺動部にガイドブッシュを装着して、上記加圧シリンダーのシリンダーの全体部を一体的として固定したスライドを上記コラムにそって昇降自在とし、
上記下コラムの下部をベッドに垂直に固定するとともに、上記コラムの上部をクラウンに垂直に固定して上記コラムにそって上記加圧シリンダーのシリンダーの全体部を一体的として固定したスライドを精密に昇降してプレス成形するようにしたことを特徴とするコラム型の液圧プレス。
【請求項２】
スライドの４隅部に加圧シリンダーを軸対称状に配設するとともに、ピストンを貫通したコラムの上コラムを上部のクラウンの４隅部に、上記下コラムの下端部をベッドの４隅部にそれぞれ固定し、加圧シリンダーのシリンダーとともにスライドを上下のコラムにそって昇降自在とした請求項１に記載のコラム型の液圧プレス。
【請求項３】
クラウンにスライド落下防止装置を装着してスライドを着脱可能に取着するようにした請求項１または請求項２に記載のコラム型の液圧プレス。
【請求項４】
スライドを油圧タンク兼用の構造とした請求項１ないし請求項３のいずれかに記載のコラム型の液圧プレス。
【発明の詳細な説明】
【０００１】
【発明の属する技術分野】
本発明は、プレス分野におけるコラム型の液圧プレスに関するものである。
【０００２】
【従来の技術】
油圧プレスについて、ベッドと上フレームをコラムで連結し、このコラムにそってスライドを摺動させて昇降シリンダーで昇降するコラム型のものが知られている。
【０００３】
しかし、上記のものは、コラムに昇降シリンダーのシリンダーロッドを平行にスライドに取着してスライドを昇降しているもので、コラムとシリンダーロッドを併用してコスト高となるものであった。
【０００４】
【発明が解決しようとする課題】
そのため、スライドのガイド棒を省略してスライドに加圧シリンダーを配設し、この加圧シリンダーのシリンダーロッドをコラムとしてスライドを昇降してプレス成形するものが知られている。
【０００５】
しかし、スライドをシリンダーで昇降すると、昇降精度はシリンダーの寸法公差によるピストンの摺動精度とコラム４本の傾きに依存し、シリンダーが作動するために必要な隙間とコラム上部の傾きが原因でスライドが傾くので、平面的な位置精度がたとえばスライド幅３３５０ｍに対して２．５ｍｍも傾くなどよくないものであった。
【０００６】
【課題を解決するための手段】
本発明は、上記のような点に鑑みたもので、上記の課題を解決するために、  スライドの４隅部に加圧シリンダーをそのシリンダーの全体部をスライドに一体的としてそれぞれ配設するとともに、この加圧シリンダーのピストンから上下方向にピストンロッドを上コラムと下コラムとしてそれぞれ突出して上コラムと下コラムのスライドの摺動部にガイドブッシュを装着して、上記加圧シリンダーのシリンダーの全体部を一体的として固定したスライドを上記コラムにそって昇降自在とし、上記下コラムの下部をベッドに垂直に固定するとともに、上記コラムの上部をクラウンに垂直に固定して上記コラムにそって上記加圧シリンダーのシリンダーの全体部を一体的として固定したスライドを精密に昇降してプレス成形するようにしたことを特徴とするコラム型の液圧プレスを提供する。
【０００７】
【発明の実施の形態】
本発明のコラム型の液圧プレスは、  スライドの４隅部に加圧シリンダーをそのシリンダーの全体部をスライドに一体的としてそれぞれ配設するとともに、この加圧シリンダーのピストンから上下方向にピストンロッドを上コラムと下コラムとしてそれぞれ突出して上コラムと下コラムのスライドの摺動部にガイドブッシュを装着して、上記加圧シリンダーのシリンダーの全体部を一体的として固定したスライドを上記コラムにそって昇降自在とし、上記下コラムの下部をベッドに垂直に固定するとともに、上記コラムの上部をクラウンに垂直に固定して上記コラムにそって上記加圧シリンダーのシリンダーの全体部を一体的として固定したスライドを精密に昇降してプレス成形するようにしたことを特徴としている。
【０００８】
本発明のコラム型の液圧プレス１は、図１、図２のように油圧シリンダーを利用したコラム型のもので、図のように所要の剛性としたスライド２の４隅部に所定の出力の加圧シリンダー３を軸対称状にシリンダー４を加圧シリンダーのシリンダーの全体部を一体的としてスライド２に固定して配設し、この加圧シリンダー３のピストン５の上下方向にピストンロッドの上コラム６と下コラム７とをピストン５を貫通させて突設している。
【０００９】
そして、上記下コラム７の下部を図１のようにベッド８の４隅部にそれぞれ所定長さ挿入して垂直に固定するとともに、上記上コラム６の上端部を図１、図２のように所要の剛性としたクラウン９の４隅部にそれぞれ垂直に嵌装してロックピン等で強固に固定し、油圧シリンダーの加圧シリンダー３をロッドがピストン５を貫通した両ロッドタイプのコラム構造のプレスとしているものである。
【００１０】
また、上記加圧シリンダー３の上コラム６と下コラム７のスライド２の摺動部には、図１、図３のようにガイドブッシュ１０、１１をそれぞれ装着し、上コラム６、下コラム７との嵌合状態を精密に一定にしてスライド２の傾きをできるだけ小さな許容範囲内とし、スライド３を精密な水平状態に維持して昇降するようにしている。
【００１１】
また、上記した４本の上コラム５を固着したクラウン９の中央には、図１のようにスライド落下防止装置１２を装着して、必要時にスライド２の上部をクランプしたり、ロッドを挿入して係止したりしてスライド２が自然落下するのを防止し、安心して金型の着脱等が行えるようにしている。
【００１２】
このような液圧プレスとしては、加圧シリンダーを利用してスライドの加圧および引き上げを行えるものであるが、引き上げシリンダーを併用することを除外するものでない。
【００１３】
また、上記クラウンに油圧タンクを搭載することもでき、その際タンクの底部構造をクラウンを兼用した構造とするのが好ましい。また、スライドの内部の空間を積極的に利用して油圧タンクを兼ねるようにすることもできる。
【００１４】
【実施例】
図１〜図３は、本発明の一実施例を示すもので、５０００トン油圧プレスに実施したものである。スライド２を３３５０×２７００×１５００ｍｍの大きさとして、９００ｍｍのストロークのものとした。
【００１５】
このように形成した加圧シリンダー３に油圧油を流入出して加圧シリンダー３のシリンダー４の全体部を一体的に固定したスライド２を図３のように配設して昇降した結果、スライド２の傾きはスライド幅３３５０ｍｍに対して０．８ｍｍ以内になり、十分な精度を得るものであった。
【００１６】
なお、加圧シリンダーのロッド径をピストンに対して８０〜９５％位のできるだけ大きくして油圧油の流入出量を少なくして昇降するとともに、ロッドを中突状として軽量化をはかるなど、本発明の趣旨にもとづいて適宜な変形態様を実施することができる。
【００１７】
【発明の効果】
以上のように本発明にあっては、スライドの４隅部に加圧シリンダーをそのシリンダーの全体部をスライドに一体的としてそれぞれ配設するとともに、この加圧シリンダーのピストンから上下方向にピストンロッドを上コラムと下コラムとしてそれぞれ突出して上コラムと下コラムのスライドの摺動部にガイドブッシュを装着して、上記加圧シリンダーのシリンダーの全体部を一体的として固定したスライドを上記コラムにそって昇降自在とし、上記下コラムの下部をベッドに垂直に固定するとともに、上記コラムの上部をクラウンに垂直に固定して上記コラムにそって上記加圧シリンダーのシリンダーの全体部を一体的として固定したスライドを精密に昇降してプレス成形するようにしたので、シリンダーの全体部をスライドに一体的として加圧シリンダーの上下に突出したコラムにそってスライドを昇降でき、一般の液圧プレスのようにスライドを摺動するアップライトを削除できるコラム型のプレスが構成できるとともに、スライドの傾きを十分な精度で精密に昇降することができる。
特に、上コラムと下コラムのスライドの摺動部にガイドブッシュを装着して加圧シリンダーのシリンダーとともにスライドを上下のコラムにそって昇降自在としたことによって、上コラム、下コラムとの嵌合状態を精密に一定にしてスライドの傾きをできるだけ小さな許容範囲内とし、スライドを精密な水平状態に維持して昇降することができる。
そして、上記加圧シリンダーの下コラムの下部をベッドに垂直に固定するとともに、上記コラムの上部をクラウンに垂直に固定したので、上記コラムを強固に支持でき、このコラムにそって上記のようにスライドを精密に昇降できる。
【００１８】
また、スライドの４隅部に加圧シリンダーを軸対称状に配設するとともに、ピストンを貫通したコラムの上コラムを上部のクラウンの４隅部に、上記下コラムの下端部をベッドの４隅部にそれぞれ固定し、加圧シリンダーのシリンダーとともにスライドを上下のコラムにそって昇降自在としたことによって、加圧シリンダーのピストンを貫通した上コラム、下コラムによる両ロッドタイプのコラム構造とし上記のようにスライドを精密に昇降することができる。
【００１９】
また、クラウンにスライド落下防止装置を装着してスライドを着脱可能に取着することによって、プレスしないときに容易にスライドの落下防止がはかれて安全に金型交換等ができる。
【００２０】
さらに、スライドを油圧タンク兼用の構造とすることによって、油圧タンクの省スペース化がはかれ、コラム型の液圧プレスを一層コンパクトにできる。
【図面の簡単な説明】
【図１】  本発明の一実施例の概要説明用の図面、
【図２】  同上の平面図、
【図３】  同上のスライド下降状態説明用半断面図。
【符号の説明】
１…液圧プレス            ２…スライド          ３…加圧シリンダー
４…シリンダー            ５…ピストン          ６…上コラム
７…下コラム              ８…ベッド            ９…クラウン
【図１】
0004276733.tif 000002
【図２】
0004276733.tif 000003
【図３】
0004276733.tif 000004